(57)【要約】【課題】低圧力、少流量の洗浄用ガスでも逆洗浄効率を十分に高めることができる集塵装置を提供する。【解決手段】集塵工程時とは逆方向に洗浄用ガスを噴出させてフィルタの逆洗浄を行う集塵機を備えた集塵装置において、前記集塵機１０は、洗浄用ガス噴出部２０から噴出して前記フィルタ１５を通り、該フィルタ１５の逆洗浄を行って流入室１３に流入した洗浄排ガスを、該流入室１３から外部に排出する洗浄排ガス排出経路３０を備えている。【選択図】図１
2010207702.tif 000002
【特許請求の範囲】
【請求項１】
筐体内を流入室と流出室とに区画する区画壁と、該区画壁に設けたフィルタと、前記流入室に含塵ガスを導入する含塵ガス導入経路と、前記流出室から無塵ガスを導出する無塵ガス導出経路と、前記流出室側から前記フィルタに集塵工程時とは逆方向に洗浄用ガスを噴出する洗浄用ガス噴出部とを備え、集塵工程時とは逆方向に洗浄用ガスを流して前記フィルタの逆洗浄を行う集塵機を備えた集塵装置において、前記集塵機は、前記洗浄用ガス噴出部から噴出して前記フィルタを通り、該フィルタの逆洗浄を行って前記流入室に流入した洗浄排ガスを、該流入室から外部に排出する洗浄排ガス排出経路を備えていることを特徴とする集塵装置。
【請求項２】
前記洗浄排ガス排出経路は、前記洗浄排ガスを流入室から吸引して外部に排出する吸引手段を備えていることを特徴とする請求項１記載の集塵装置。
【請求項３】
前記洗浄排ガス排出経路は、前記洗浄排ガス中に含まれる固形物を除去するフィルタを備えていることを特徴とする請求項２記載の集塵装置。
【請求項４】
前記集塵機を並列に複数基備えるとともに、各集塵機の前記洗浄排ガス排出経路を一つの排出経路に合流させたことを特徴とする請求項１乃至３のいずれか１項記載の集塵装置。
【発明の詳細な説明】
【技術分野】
【０００１】
本発明は、集塵装置に関し、詳しくは、集塵工程時とは逆方向に洗浄用ガスを流してフィルタを逆洗浄する集塵機を備えた集塵装置に関する。
【背景技術】
【０００２】
フィルタによってガス中の塵を除去する集塵機では、洗浄用ガスを集塵工程時とは逆方向にフィルタ内に噴出することにより、フィルタ表面に付着した塵を払い落とす逆洗浄工程を行うことで集塵能力を回復させ、集塵処理を長時間連続的に行えるようにしている。
【０００３】
一般的な逆洗浄工程では、集塵工程を行っているときに、所定の時間間隔でフィルタの二次側から高圧の洗浄用ガスを噴出させ、噴出した洗浄用ガスの圧力でフィルタが膨張変形する際にフィルタの表面に付着した塵を払い落とす変形効果と、洗浄用ガスがフィルタの二次側から一次側に通過する際のガス流れによってフィルタの表面に付着した塵を吹き飛ばす吹き飛ばし効果とを利用している（例えば、特許文献１参照。）。
【特許文献１】特開平６−１０６０１４号公報
【発明の開示】
【発明が解決しようとする課題】
【０００４】
しかしながら、従来の逆洗浄工程は、フィルタの一次側から二次側に集塵処理の対象となるガス（被処理ガス）が流通している集塵工程を継続しながら行っており、被処理ガスの流れに逆らって洗浄用ガスが流れるため、洗浄用ガスの噴出部から離れた部分を含めたフィルタ全体に対して前述の洗浄用ガスによる変形効果及び吹き飛ばし効果を十分に得るためには、洗浄用ガスの圧力を高くし、流量も多くする必要があった。
【０００５】
また、被処理ガスが常に一次側から二次側に流れているため、逆洗浄によってフィルタから離脱した塵が被処理ガスに同伴されてフィルタの表面に再付着することもあり、高圧力、大流量の洗浄用ガスを使用しても逆洗浄効率を十分に高めることができなかった。
【０００６】
そこで本発明は、低圧力、少流量の洗浄用ガスでも逆洗浄効率を十分に高めることができる集塵装置を提供することを目的としている。
【課題を解決するための手段】
【０００７】
上記目的を達成するため、本発明の集塵装置は、筐体内を流入室と流出室とに区画する区画壁と、該区画壁に設けたフィルタと、前記流入室に含塵ガスを導入する含塵ガス導入経路と、前記流出室から無塵ガスを導出する無塵ガス導出経路と、前記流出室側から前記フィルタに集塵工程時とは逆方向に洗浄用ガスを噴出する洗浄用ガス噴出部とを備え、集塵工程時とは逆方向に洗浄用ガスを流して前記フィルタの逆洗浄を行う集塵機を備えた集塵装置において、前記集塵機は、前記洗浄用ガス噴出部から噴出して前記フィルタを通り、該フィルタの逆洗浄を行って前記流入室に流入した洗浄排ガスを、該流入室から外部に排出する洗浄排ガス排出経路を備えていることを特徴としている。
【０００８】
さらに、本発明の集塵装置は、前記洗浄排ガス排出経路が前記洗浄排ガスを流入室から吸引して外部に排出する吸引手段を備えていること、また、前記洗浄排ガス排出経路が前記洗浄排ガス中に含まれる固形物を除去するフィルタを備えていることを特徴とし、さらに、前記集塵機を並列に複数基備えるとともに、各集塵機の前記洗浄排ガス排出経路を一つの排出経路に合流させたことを特徴としている。
【発明の効果】
【０００９】
本発明の集塵装置によれば、洗浄用ガス噴出部から噴出してフィルタの逆洗浄を行い、流入室に流入した洗浄排ガスを流入室から外部に排出することができるので、逆洗浄工程でのフィルタにおけるガスの流れを二次側（流出室側）から一次側（流入室側）に向かう方向のみとすることができ、低圧力、少流量の洗浄用ガスを使用しても十分な洗浄効果を得ることができる。
【発明を実施するための最良の形態】
【００１０】
図１は、本発明の集塵装置の第１形態例を示す説明図である。集塵機１０は、筐体１１内を区画壁１２によって流入室１３と流出室１４とに区画し、前記区画壁１２から流入室１３側に向けて有底筒状のバグフィルタ１５を複数突設したものであって、流入室１３には、燃焼除害装置のような燃焼器１６などで発生した含塵ガスを導入する含塵ガス導入経路１７が接続され、流入室１３の底部には、逆洗浄によってバグフィルタ１５から剥離して落下した塵を回収する回収容器１８が着脱可能に設けられている。
【００１１】
また、流出室１４には、バグフィルタ１５にて除塵された無塵ガスを導出する無塵ガス導出経路１９が接続されており、流出室１４内には、バグフィルタ１５の開口からバグフィルタ１５の内部に洗浄用ガスを噴出する洗浄用ガス噴出部２０が設けられるとともに、該洗浄用ガス噴出部２０に洗浄用ガスを供給する洗浄用ガス供給経路２１が設けられている。
【００１２】
前記含塵ガス導入経路１７にはガス導入元弁２２と含塵ガス導入弁２３とが設けられており、前記無塵ガス導出経路１９には無塵ガス導出弁２４と無塵ガスを吸引して外部へ導出するための無塵ガス吸引装置２５とが設けられている。また、含塵ガス導入経路１７における含塵ガス導入弁２３の上流側と無塵ガス導出経路１９における無塵ガス導出弁２４の下流側との間には、バイパス弁２６を有するバイパス経路２７が設けられ、無塵ガス導出経路１９における無塵ガス導出弁２４の上流側には、流出室１４内を外気に開放するための開放弁２８を有する開放経路２９が設けられている。
【００１３】
さらに、含塵ガス導入経路１７における含塵ガス導入弁２３の下流側には、流入室１３内の洗浄排ガスを外部に排出するための洗浄排ガス排出経路３０が設けられ、該洗浄排ガス排出経路３０には、洗浄排ガス排出弁３１と、洗浄排ガスを吸引する排ガス吸引手段３２と、洗浄排ガス中に含まれる固形物を除去するフィルタ３３とが設けられている。
【００１４】
この集塵装置は、集塵機１０を集塵工程と逆洗浄工程とに切り替えて運転することによって連続的に集塵処理を行う。まず、集塵工程では、ガス導入元弁２２、含塵ガス導入弁２３及び無塵ガス導出弁２４が開、バイパス弁２６、開放弁２８及び洗浄排ガス排出弁３１が閉、無塵ガス吸引装置２５が作動中、洗浄用ガス噴出部２０及び排ガス吸引手段３２が停止中となっている。
【００１５】
したがって、集塵工程では、無塵ガス吸引装置２５によって流出室１４内の無塵ガスが無塵ガス導出弁２４、無塵ガス導出経路１９を介して吸引され、流出室１４に比べて相対的に圧力が高くなる流入室１３内の含塵ガスがバグフィルタ１５を通って流出室１４に流れることにより、ガス導入元弁２２及び含塵ガス導入弁２３を経て含塵ガス導入経路１７から流入室１３内に導入される含塵ガスに含まれる塵（固形物）がバグフィルタ１５の外周面に捕捉されてガス中から除去される。
【００１６】
集塵機１０が１基のみの集塵装置における逆洗浄工程は、燃焼器１６などの含塵ガス発生源が休止中など、集塵工程を中断することができる時間帯に行われる。このとき、洗浄排ガス排出弁３１のみが開となり、他の弁はすべて閉じられ、無塵ガス吸引装置２５が停止するとともに、洗浄用ガス噴出部２０及び排ガス吸引手段３２が作動を開始する。
【００１７】
洗浄用ガス噴出部２０は、洗浄用ガス供給経路２１から供給される洗浄用ガスを、複数のバグフィルタ１５に対して噴出ノズルを順次移動させながら連続して噴出することにより、各バグフィルタ１５の内部に集塵工程時とは逆方向に順番に洗浄用ガスを噴出する。
【００１８】
これにより、各バグフィルタ１５においては、間欠的に洗浄用ガスが導入される状態となり、洗浄用ガス導入時にはバグフィルタ１５がガス圧力によって膨張し、フィルタ表面に付着した塵を、逆洗浄用ガスの流れ及び膨張時のエネルギーによって払い落とすとともに付着性のものも剥離させる。噴出ノズルが他のバグフィルタ１５の開口部分に移動すると、フィルタ自身の復元力によって収縮する。このような膨張と収縮とを繰り返すことにより、バグフィルタ１５のフィルタ表面から塵（付着物）を離脱させることができる。
【００１９】
バグフィルタ１５を集塵工程時とは逆方向に通過して流入室１３内に流入したガス（洗浄排ガス）は、排ガス吸引手段３２により吸引され、洗浄排ガス排出経路３０の洗浄排ガス排出弁３１及びフィルタ３３を経て集塵装置の外部に排出される。バグフィルタ１５から離脱した塵などの固形物の内、大きなもの（重いもの）は、流入室１３内を下部に落下して回収容器１８に回収され、洗浄排ガスに伴われる小さなもの（軽いもの）は、前記フィルタ３３によって除去される。
【００２０】
したがって、逆洗浄工程でのバグフィルタ１５におけるガスの流れを二次側（流出室１４側）から一次側（流入室１３側）に向かう一方向のみとすることができ、従来のように、フィルタ表面から離脱した塵（固形物）がフィルタ表面に再付着することを防止できるので、低圧力、少流量の洗浄用ガスでも逆洗浄効率を十分に高めることができる。
【００２１】
なお、従来と同様の集塵工程を継続しながら逆洗浄を行う操作と、上述の集塵工程を中断して逆洗浄を行う操作とを、バグフィルタ１５の状態や含塵ガス発生源の状態などに応じて適宜選択して行うことも可能である。また、洗浄用ガスの圧力が高く、流量が多い場合には、排ガス吸引手段３２を省略することができ、洗浄排ガス排出経路３０からの洗浄排ガスの排出先によっては、フィルタ３３を省略することもできる。
【００２２】
図２は、本発明の集塵装置の第２形態例を示す説明図である。なお、本形態例において、前記第１形態例に示した集塵装置の構成要素と同一の構成要素には同一の符号を付して詳細な説明は省略する。
【００２３】
本形態例は、逆洗浄工程における洗浄排ガスの外部への排出を、第１形態例における排ガス吸引手段３２に代えて、無塵ガス吸引装置２５で行うように構成したものである。
【００２４】
逆洗浄工程では、ガス導入元弁２２、無塵ガス導出弁２４及び開放弁２８を閉じ、含塵ガス導入弁２３及びバイパス弁２６を開いた状態で、無塵ガス吸引装置２５及び洗浄用ガス噴出部２０を作動させて行う。洗浄用ガス噴出部２０から噴出し、バグフィルタ１５の付着物を離脱させて流入室１３内に流入した洗浄排ガスは、無塵ガス吸引装置２５の吸引作用により、含塵ガス導入経路１７、含塵ガス導入弁２３を集塵工程とは逆方向に流れ、バイパス弁２６を経てバイパス経路２７を通り、無塵ガス吸引装置２５から外部に排出される。
【００２５】
なお、集塵工程は、前記同様に、ガス導入元弁２２、含塵ガス導入弁２３及び無塵ガス導出弁２４を開いて他の弁を閉じ、無塵ガス吸引装置２５を作動させて行う。
【００２６】
図３は、本発明の集塵装置の第３形態例を示す説明図であって、同一構成の２基の集塵機１０ａ，１０ｂを並列に備えた集塵装置を示している。なお、本形態例において、集塵機１０ａに付帯する構成要素には、同一の符号（数字）の後ろに「ａ」を、集塵機１０ｂに付帯する構成要素には、同一の符号（数字）の後ろに「ｂ」をそれぞれ付して各構成要素の詳細な説明は省略する。
【００２７】
第１集塵機１０ａの流入室１３ａに接続した第１含塵ガス導入経路１７ａと、第２集塵機１０ｂの流入室１３ｂに接続した第２含塵ガス導入経路１７ｂとは、各含塵ガス導入弁２３ａ，２３ｂの上流側で合流し、両経路１７ａ，１７ｂが合流した含塵ガス導入経路１７は、ガス導入元弁２２を介して燃焼器１６などの含塵ガス発生源に接続されている。また、流入室１３ａ，１３ｂにそれぞれ接続した第１洗浄排ガス排出経路３０ａ，第２洗浄排ガス排出経路３０ｂは、洗浄排ガス排出弁３１ａ，３１ｂの下流側で一つの洗浄排ガス排出経路３０に合流しており、この洗浄排ガス排出経路３０に排ガス吸引手段３２とフィルタ３３とが設けられている。
【００２８】
このように、２基の集塵機１０ａ，１０ｂを備えた集塵装置では、集塵機１０ａ，１０ｂにおける逆洗浄工程を、一方の集塵機に対してのみ行うことにより、含塵ガスの集塵処理を連続して行うことができる。例えば、第１集塵機１０ａが集塵工程、第２集塵機１０ｂが逆洗浄工程を行う場合、集塵工程中の第１集塵機１０ａでは、含塵ガス導入弁２３ａ及び無塵ガス導出弁２４ａが開、洗浄排ガス排出弁３１ａが閉、洗浄用ガス噴出部２０ａが停止状態であり、逆洗浄工程中の第２集塵機１０ｂでは、含塵ガス導入弁２３ｂ及び無塵ガス導出弁２４ｂが閉となり、洗浄排ガス排出弁３１ａが開になるとともに、洗浄用ガス噴出部２０ｂが作動を開始する。
【００２９】
なお、通常の運転操作においては、ガス導入元弁２２は開、バイパス弁２６及び開放弁２８ａ，２８ｂは閉であり、無塵ガス吸引装置２５は常時運転状態、排ガス吸引手段３２はいずれか一方の集塵機が逆洗浄工程を行うときにのみ作動する。
【００３０】
したがって、第１集塵機１０ａでは、燃焼器１６などの含塵ガス発生源で発生した含塵ガスが、ガス導入元弁２２、含塵ガス導入経路１７、第１含塵ガス導入経路１７ａ、含塵ガス導入弁２３ａを経て流入室１３ａに導入され、バグフィルタ１５ａによって塵を除去された無塵ガスが流出室１４ａから無塵ガス導出経路１９ａ、無塵ガス導出弁２４ａを通り、無塵ガス吸引装置２５に吸引されて外部に排出される。
【００３１】
一方、第２集塵機１０ｂでは、洗浄用ガス噴出部２０ｂから噴出してバグフィルタ１５から付着物を離脱させた洗浄排ガスが、第２洗浄排ガス排出経路３０ｂ、洗浄排ガス排出弁３１ｂ、洗浄排ガス排出経路３０を通って排ガス吸引手段３２に吸引され、フィルタ３３を経て外部に排出される。
【００３２】
このように、複数の集塵機１０ａ，１０ｂを配置することにより、燃焼器１６などの含塵ガス発生源を停止させることなく、連続して集塵処理を行うことができる。さらに、各集塵機１０ａ，１０ｂの洗浄排ガス排出経路３０ａ，３０ｂを一つの洗浄排ガス排出経路３０に合流させることにより、排ガス吸引手段３２やフィルタ３３を設ける場合であっても、装置コストを削減することができる。
【００３３】
なお、通常は、両集塵機１０ａ，１０ｂが共に集塵工程を行っている段階と、一方の集塵機が逆洗浄工程を行う段階とを繰り返すことにより、連続して集塵処理を行う。
【図面の簡単な説明】
【００３４】
【図１】本発明の集塵装置の第１形態例を示す説明図である。
【図２】本発明の集塵装置の第２形態例を示す説明図である。
【図３】本発明の集塵装置の第３形態例を示す説明図である。
【符号の説明】
【００３５】
１０，１０ａ，１０ｂ…集塵機、１１，１１ａ，１１ｂ…筐体、１２，１２ａ，１２ｂ…区画壁、１３，１３ａ，１３ｂ…流入室、１４，１４ａ，１４ｂ…流出室、１５，１５ａ，１５ｂ…バグフィルタ、１６…燃焼器、１７，１７ａ，１７ｂ…含塵ガス導入経路、１８，１８ａ，１８ｂ…回収容器、１９，１９ａ，１９ｂ…無塵ガス導出経路、２０，２０ａ，２０ｂ…洗浄用ガス噴出部、２１，２１ａ，２１ｂ…洗浄用ガス供給経路、２２…ガス導入元弁、２３，２３ａ，２３ｂ…含塵ガス導入弁、２４，２４ａ，２４ｂ…無塵ガス導出弁、２５…無塵ガス吸引装置、２６…バイパス弁、２７…バイパス経路、２８，２８ａ，２８ｂ…開放弁、２９，２９ａ，２９ｂ…開放経路、３０，３０ａ，３０ｂ…洗浄排ガス排出経路、３１，３１ａ，３１ｂ…洗浄排ガス排出弁、３２…排ガス吸引手段、３３…フィルタ
【図１】
2010207702.tif 000003
【図２】
2010207702.tif 000004
【図３】
2010207702.tif 000005